(57)【要約】ＬＴＥ−Ａシステムにおけるキャリア・スケジューリング方式及び確認方法においては、ネットワーク設備は、コンポーネントキャリアがクロス・キャリア・スケジューリング方式によりリソースをスケジューリングするか否かを確認し、かつ、コンポーネントキャリアがクロス・キャリア・スケジューリング方式によりリソースをスケジューリングするか否かの第１指示情報を端末へ送信する。これにより端末は、自身がサポートしたコンポーネントキャリアにてクロス・キャリア・スケジューリング方式によりリソースをスケジューリングするか否かを指示する。本方法により、ＬＴＥ−Ａシステムにおいて、複数キャリアをサポートするＵＥが１つ或いはいくつかのコンポーネントキャリアがいずれかの方式によりリソース・スケジューリングすることを確定できる。そして正確なデータ送受信を行う。
2013506359.tif 000002
【特許請求の範囲】
【請求項１】
ネットワーク設備が、コンポーネントキャリアがクロス・キャリア・スケジューリング方式によりリソースをスケジューリングするか否かを確認するステップと、
前記ネットワーク設備が、コンポーネントキャリアがクロス・キャリア・スケジューリング方式によりリソースをスケジューリングするか否かの第１指示情報を端末へ送信することにより、端末自身がサポートするコンポーネントキャリアにてクロス・キャリア・スケジューリング方式によりリソースをスケジューリングするか否かを端末へ指示するステップと
を備えることを特徴とするロング・ターム・エボリューション・アドバンスト（ＬＴＥ−Ａ）システムにおけるキャリア・スケジューリング方式の指示方法。
【請求項２】
前記第１指示情報中のコンポーネントキャリアは、システムにおける全てのコンポーネントキャリアであり、ネットワーク設備が前記第１指示情報を前記端末へ送信するステップは、
前記ネットワーク設備が前記第１指示情報をシステムメッセージに載せ、かつ、前記システムメッセージをブロードキャスト方式による端末へ送信するステップを備え、
或いは、
前記第１指示情報中のコンポーネントキャリアは、システムにおける１コンポーネントキャリアであり、ネットワーク設備が前記第１指示情報を前記端末へ送信するステップは、
前記ネットワーク設備が、前記第１指示情報をシステムメッセージに載せ、かつ、前記システムメッセージを前記第１指示情報のコンポーネントキャリアにてブロードキャスト方式により端末へ送信するステップ
を備えることを特徴とする請求項１に記載のロング・ターム・エボリューション・アドバンスト（ＬＴＥ−Ａ）システムにおけるキャリア・スケジューリング方式の指示方法。
【請求項３】
前記第１指示情報中のコンポーネントキャリアはシステムにおける全てのコンポーネントキャリアであり、ネットワーク設備が前記第１指示情報を前記端末へ送信した後、当該方法は、
前記ネットワーク設備が、再設定した後のシステムにおける全てのコンポーネントキャリアがクロス・キャリア・スケジューリング方式によりリソースをスケジューリングするか否かの第２指示情報をシステムメッセージに載せてブロードキャストし、或いは、無線リソース制御（ＲＲＣ）シグナルに載せて端末へ送信するステップ
をさらに備え、
或いは、前記第１指示情報のコンポーネントキャリアは、システムにおける１コンポーネントキャリアであり、ネットワーク設備が前記第１指示情報を前記端末へ送信した後、当該方法は、
前記ネットワーク設備が、再設定した後の１コンポーネントキャリアがクロス・キャリア・スケジューリング方式によりリソースをスケジューリングするか否かの第２指示情報をシステムメッセージに載せ、かつ、前記第２指示情報のコンポーネントキャリアにてブロードキャストするか、無線リソース制御（ＲＲＣ）シグナルに載せて端末へ送信するステップ
をさらに備えることを特徴とする請求項２に記載のロング・ターム・エボリューション・アドバンスト（ＬＴＥ−Ａ）システムにおけるキャリア・スケジューリング方式の指示方法。
【請求項４】
前記第１指示情報中のコンポーネントキャリアは、端末がサポートする全て或いは一部コンポーネントキャリアであり、前記ネットワーク設備が前記第１指示情報を前記端末へ送信するステップは、
前記ネットワーク設備が前記第１指示情報を無線リソース制御（ＲＲＣシグナル）に載せ、かつ、前記ＲＲＣシグナルを前記端末へ送信するステップ      
を備えることを特徴とする請求項１に記載のロング・ターム・エボリューション・アドバンスト（ＬＴＥ−Ａ）システムにおけるキャリア・スケジューリング方式の指示方法。
【請求項５】
ネットワーク設備が、前記第１指示情報を端末へ送信した後、当該方法はさらに、
前記ネットワーク設備が、再設定した後の端末がサポートする全て或いは一部コンポーネントキャリアがクロス・キャリア・スケジューリング方式によりリソースをスケジューリングするか否かの第２指示情報をＲＲＣシグナルに載せ、かつ、前記ＲＲＣシグナルを前記端末へ送信するステップ
を備えることを特徴とする請求項４に記載のロング・ターム・エボリューション・アドバンスト（ＬＴＥ−Ａ）システムにおけるキャリア・スケジューリング方式の指示方法。
【請求項６】
ネットワーク設備が、前記第１指示情報或いは第２指示情報を端末へ送信する場合、当該方法は、
前記ネットワーク設備が、前記ＬＴＥ−Ａシステムがサポートする全てのコンポーネントキャリアの識別子情報或いは一部コンポーネントキャリアの識別子情報を端末へ送信するステップ
をさらに備えることを特徴とする請求項１〜５いずれかに記載のロング・ターム・エボリューション・アドバンスト（ＬＴＥ−Ａ）システムにおけるキャリア・スケジューリング方式の指示方法。
【請求項７】
端末が、ネットワーク設備から送信された、コンポーネントキャリアがクロス・キャリア・スケジューリング方式によりリソースをスケジューリングするか否か、の第１指示情報を受信するステップと、
前記端末が、前記第１指示情報に基づき、自身がサポートするコンポーネントキャリアにてクロス・キャリア・スケジューリング方式により、リソースをスケジューリングするか否かを確認するステップと
を備えることを特徴とするロング・ターム・エボリューション・アドバンスト（ＬＴＥ−Ａ）システムにおけるキャリア・スケジューリング方式の確認方法。
【請求項８】
前記端末が前記第１指示情報を受信するステップは、
ネットワーク設備からブロードキャストされた、前記第１指示情報が載せられたシステムメッセージを受信するステップ
を備え、
前記端末が、自身がサポートするコンポーネントキャリアにてクロス・キャリア・スケジューリング方式によりリソースをスケジューリングするか否かを確認するステップは、
前記端末が、第１指示情報中のコンポーネントキャリアがシステム中の全てのコンポーネントキャリアであると確認する場合、前記第１指示情報に基づき、自身がサポートした全てのコンポーネントキャリアにてクロス・キャリア・スケジューリング方式或いは本キャリア・スケジューリング方式によりリソースをスケジューリングすることを確認するステップ
を備え、
前記端末が、第１指示情報中のコンポーネントキャリアがシステム中の１コンポーネントキャリアであると確認する場合、前記第１指示情報に基づき、第１指示情報中のコンポーネントキャリアにてクロス・キャリア・スケジューリング方式或いは本キャリア・スケジューリングによりリソースをスケジューリングすると確認するステップ
を備えることを特徴とする請求項７に記載のロング・ターム・エボリューション・アドバンスト（ＬＴＥ−Ａ）システムにおけるキャリア・スケジューリング方式の確認方法。
【請求項９】
前記端末が、ネットワーク設備から送信された、再設定した後のコンポーネントキャリアがクロス・キャリア・スケジューリング方式によりリソースをスケジューリングするか否かの第２指示情報が載せられたシステムメッセージ或いはＲＲＣシグナルを受信するステップと、
前記端末が、第２指示情報中のコンポーネントキャリアがシステム中の全てのコンポーネントキャリアであると確認する場合、前記第２指示情報に基づき、自身がサポートする全てのコンポーネントキャリアにてクロス・キャリア・スケジューリング方式或いは本キャリア・スケジューリング方式によりリソースをスケジューリングすると改めて再確認するステップと、
前記端末が第２指示情報中のコンポーネントキャリアがシステム中の１コンポーネントキャリアであると確認する場合、前記第２指示情報に基づき、第２指示情報におけるコンポーネントキャリアにてクロス・キャリア・スケジューリング方式或いは本キャリア・スケジューリング方式によりリソースをスケジューリングすると改めて確認するステップと
をさらに備えることを特徴とする請求項８に記載のロング・ターム・エボリューション・アドバンスト（ＬＴＥ−Ａ）システムにおけるキャリア・スケジューリング方式の確認方法。
【請求項１０】
前記端末が前記第１指示情報を受信するステップは、
ネットワーク設備から送信された、前記第１指示情報が載せられた無線リソース制御（ＲＲＣ）シグナルを受信するステップ
を備え、
前記端末が、自身がサポートするコンポーネントキャリアにてクロス・キャリア・スケジューリング方式によりリソースをスケジューリングするか否かを確認するステップは、
前記端末が、前記第１指示情報に基づき、前記第１指示情報中のコンポーネントキャリアにてクロス・キャリア・スケジューリング方式或いは本キャリア・スケジューリング方式によりリソースをスケジューリングすると確認するステップ
を備えることを特徴とする請求項７に記載のロング・ターム・エボリューション・アドバンスト（ＬＴＥ−Ａ）システムにおけるキャリア・スケジューリング方式の確認方法。
【請求項１１】
端末が、ネットワーク設備から送信された、再設定後の端末がサポートする全て或いは一部コンポーネントキャリアが、クロス・キャリア・スケジューリング方式によりリソースをスケジューリングするか否かの第２指示情報が載せられたＲＲＣシグナルを受信するステップと、
前記端末が、前記第２指示情報に基づき、前記第２指示情報中のコンポーネントキャリアにてクロス・キャリア・スケジューリング方式或いは本キャリア・スケジューリング方式によりリソースをスケジューリングすると改めて確認するステップと
を備えることを特徴とする請求項１０に記載のロング・ターム・エボリューション・アドバンスト（ＬＴＥ−Ａ）システムにおけるキャリア・スケジューリング方式の確認方法。
【請求項１２】
端末が、クロス・キャリア・スケジューリング方式によりリソースをスケジューリングすると確認されたコンポーネントキャリアに対し、前記クロス・キャリア・スケジューリング方式に対応する下りリンク制御情報ＤＣＩフォーマットに基づき、前記コンポーネントキャリア上の物理下りリンク制御チャンネル（ＰＤＣＣＨ）を検出するステップと、
端末が、クロス・キャリア・スケジューリング方式によりリソースをスケジューリングしないと確認されたコンポーネントキャリアに対し、本キャリア・スケジューリング方式に対応するＤＣＩフォーマットに基づき、前記コンポーネントキャリア上のＰＤＣＣＨを検出するステップと
をさらに備えることを特徴とする請求項７〜１１のいずれかに記載のロング・ターム・エボリューション・アドバンスト（ＬＴＥ−Ａ）システムにおけるキャリア・スケジューリング方式の確認方法。
【請求項１３】
コンポーネントキャリアがクロス・キャリア・スケジューリング方式によるか否かを確認する確認手段と、
コンポーネントキャリアがクロス・キャリア・スケジューリング方式によりリソースをスケジューリングするか否かの第１指示情報を端末へ送信する送信手段と
を備えることを特徴とするネットワーク設備。
【請求項１４】
前記送信手段は、第１指示手段と、第２指示手段と、第３指示手段と、第４指示手段とにおける１つ或いは任意の組み合わせを備え、
前記第1指示手段は、システム中の全てのコンポーネントキャリアがクロス・キャリア・スケジューリング方式によりリソースをスケジューリングするか否かの第１指示情報をシステムメッセージに載せ、かつ、前記システムメッセージをブロードキャスト方式により端末へ送信し、
前記第２指示手段は、システム中の１コンポーネントキャリアがクロス・キャリア・スケジューリング方式によりリソースをスケジューリングするか否かの第１指示情報をシステムメッセージに載せ、かつ、前記システムメッセージをブロードキャスト方式により前記第１指示情報中のコンポーネントキャリアを介して端末へ送信し、
前記第３指示手段は、端末がサポートする全てのコンポーネントキャリアがクロス・キャリア・スケジューリング方式によりリソースをスケジューリングするか否かの第１指示情報を無線リソース制御（ＲＲＣ）シグナルに載せ、かつ、前記ＲＲＣシグナルを前記端末へ送信し、
前記第４指示手段は、端末がサポートする一部コンポーネントキャリアが、クロス・キャリア・スケジューリング方式によりリソースをスケジューリングするか否かの第１指示情報を無線リソース制御（ＲＲＣ）シグナルに載せ、かつ、前記ＲＲＣシグナルを前記端末へ送信する
ことを特徴とする請求項１３に記載のネットワーク設備。
【請求項１５】
前記ネットワーク設備は、第１再指示手段と、第２再指示手段と、第３再指示手段とにおける１つ或いは任意の組み合わせをさらに備え、
前記第１再指示手段は、再設定後のシステムにおける全てのコンポーネントキャリアがクロス・キャリア・スケジューリング方式によりリソースをスケジューリングするか否かの第２指示情報を、システムメッセージに載せてブロードキャストするか、或いは、無線リソース制御（ＲＲＣ）シグナルに載せて、端末へ送信し、
前記第２再指示手段は、再設定後の１コンポーネントキャリアがクロス・キャリア・スケジューリング方式によりリソースをスケジューリングするか否かの第２指示情報をシステムメッセージに載せ、かつ、前記第２指示情報のコンポーネントキャリアにてブロードキャストするか、或いは、無線リソース制御（ＲＲＣ）シグナルに載せて端末へ送信し、
第３再指示手段は、再設定後の端末がサポートする全て或いは一部コンポーネントキャリアがクロス・キャリア・スケジューリング方式によりリソースをスケジューリングするか否かの第２指示情報をＲＲＣシグナルに載せ、かつ、前記ＲＲＣシグナルを前記端末へ送信する
ことを特徴とする請求項１３或いは１４に記載のネットワーク設備。
【請求項１６】
前記送信手段はさらに、
ロング・ターム・エボリューション・アドバンスト（ＬＴＥ−Ａ）システムがサポートする全てのコンポーネントキャリアの識別子情報或いは一部コンポーネントキャリアの識別子情報を端末へ送信する
ことを特徴とする請求項１３に或いは１４に記載のネットワーク設備。
【請求項１７】
ネットワーク設備から送信された、コンポーネントキャリアがクロス・キャリア・スケジューリング方式によりリソースをスケジューリングするか否かの第１指示情報を受信する受信手段と、
前記第１指示情報に基づき、自身がサポートするコンポーネントキャリアにてクロス・キャリア・スケジューリング方式によりリソースをスケジューリングするか否かを確認する確認手段と
を備えることを特徴とする端末。
【請求項１８】
前記受信手段は第１受信サブ手段と、第２受信サブ手段と、第３受信サブ手段と、第４受信サブ手段とにおける１つ或いは任意の組み合わせを備え、
第１受信サブ手段は、ネットワーク設備からブロードキャストされた、前記第１指示情報が載せられたシステムメッセージを受信し、
第２受信サブ手段は、ネットワーク設備から送信された、前記第１指示情報が載せられた無線リソース制御（ＲＲＣ）シグナルを受信し、
前記確認手段は、第１確認サブ手段と、第２確認サブ手段とにおける１つ或いは任意の組み合わせを備え、
第１確認サブ手段は、第１指示情報中のコンポーネントキャリアがシステム中の全てのコンポーネントキャリアであると確認する場合、前記第１指示情報に基づき、自身がサポートする全てのコンポーネントキャリアにてクロス・キャリア・スケジューリング方式或いは本キャリア・スケジューリング方式によりリソースをスケジューリングすると確認し、
第２確認サブ手段は、第１指示情報中のコンポーネントキャリアがシステム中の１コンポーネントキャリアであると確認する場合、前記第１指示情報に基づき、第１指示情報中のコンポーネントキャリアにてクロス・キャリア・スケジューリング方式或いは本キャリア・スケジューリング方式によりリソースをスケジューリングすると確認し、
第３確認サブ手段は、第１指示情報中のコンポーネントキャリアが端末によりサポートされる全て或いは一部コンポーネントキャリアであると確認する場合、前記第２指示情報に基づき、前記第１指示情報中のコンポーネントキャリアにてクロス・キャリア・スケジューリング方式或いは本キャリア・スケジューリング方式によりリソースをスケジューリングすると確認する
ことを特徴とする請求項１７に記載の端末。
【請求項１９】
確認手段より、クロス・キャリア・スケジューリング方式によりリソースをスケジューリングすると確認されたコンポーネントキャリアに対し、前記クロス・キャリア・スケジューリング方式に対応する下りリンク制御情報ＤＣＩフォーマットに基づき、前記コンポーネントキャリア上の物理下りリンク制御チャンネルＰＤＣＣＨを検出し、確認手段より、コンポーネントキャリアにてクロス・キャリア・スケジューリング方式によりリソースをスケジューリングしないと確認されたコンポーネントキャリアに対し、本キャリア・スケジューリングに対応するＤＣＩフォーマットに基づき、前記コンポーネントキャリアにおけるＰＤＣＣＨを検出する検出手段
をさらに備えることを特徴とする請求項１７或いは１８に記載の端末。
【発明の詳細な説明】
【技術分野】
【０００１】
本出願は、２００９年０９月２９日に中国特許局に提出し、出願番号が２００９１０２３５２５８．９であり、発明名称が「キャリア・スケジューリング方式の確認方法、システム及び設備」である中国特許出願を基礎とする優先権を主張し、その開示の総てをここに取り込む。
本発明は無線通信分野に関し、特にキャリア・スケジューリング方式の確認方法及び設備に関する。
【背景技術】
【０００２】
ロング・ターム・エボリューション（Ｌｏｎｇ  Ｔｅｒｍ  Ｅｖｏｌｕｔｉｏｎ、ＬＴＥ）システムにおいて、上り・下りリンクリソースは物理下りリンク制御チャンネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）によりスケジューリングを実現する。具体的に、ＰＤＣＣＨチャンネルは物理下りリンク共用チャンネル（Ｐｈｙｓｉｃａｌ  Ｄｏｗｎｌｉｎｋ  Ｓｈａｒｅｄ  Ｃｈａｎｎｅｌ、ＰＤＳＣＨ）のリソース及び物理上りリンク共用チャンネル（Ｐｈｙｓｉｃａｌ  Ｕｐｌｉｎｋ  Ｓｈａｒｅｄ  Ｃｈａｎｎｅｌ、ＰＵＳＣＨ）のリソースをスケジューリングできる。図１に示すようにＬＴＥシステムはシングルキャリアシステムであるため、ＰＤＣＣＨチャンネルは常に本キャリアの上り・下りリンクデータリソースをスケジューリングする。
【０００３】
図２に示すように、ＬＴＥシステムにおいて、１セルには１キャリアしか存在できず、かつ最大帯域幅は２０Ｍｈｚである。ロング・ターム・エボリューション・アドバンスト（ＬＴＥ−Ａｄａｖａｎｃｅｄ、ＬＴＥ−Ａ）において、システムのピーク速度はＬＴＥシステに比べ大きく向上し、下りリンク速度は１Ｇｂｐｓに、上りリンク速度は５００Ｍｂｐｓに達するよう要求されるため、２０Ｍｈｚの帯域幅はもうこのようなピーク速度を応じられなくなってしまう。ＬＴＥ−Ａシステムはキャリア・アグリゲーション（Ｃａｒｒｉｅｒ  Ａｇｇｒｅｇａｔｉｏｎ、ＣＡ）技術を導入している。即ち、同一セルにおいて、連続あるいは非連続する複数コンポーネントキャリア（Ｃｏｍｐｏｎｅｎｔ  ｃａｒｒｉｅｒ、ＣＣ）を１つに束ね、必要な場合に同時に端末（Ｕｓｅｒ  Ｅｑｕｉｐｍｅｎｔ、ＵＥ）にサービスを提供し、これにより求められた速度を提供する。ＬＴＥシステムにおいて各集合コンポーネントキャリアにてＵＥが動作することを確保するために、各コンポーネントキャリアの帯域幅は最大２０ＭＨｚを超えないようにし、ＬＴＥ−Ａシステムの集合コンポーネントキャリア個数は最大５つとする。ＬＴＥ−ＡシステムでのＣＡ技術は図３に示す通りである。
【０００４】
図３で示すようにＬＴＥ−Ａシステムにおいては、４つのＣＣが集合している。基地局は４つのコンポーネントキャリアにてＵＥと同時にデータ伝送することができ、これによりシステムのスループットを高められる。また、一部ＣＣのみにてＵＥのスケジューリングができる。
【０００５】
ＬＴＥ−Ａシステムにおいて、１００ＭＨｚのような、ＬＴＥシステムより太いシステム帯域幅をサポートさせるようにするために複数コンポーネントキャリアのリソースを接続して使用する必要がある。以下、その具体的な２種類の方法である。
【０００６】
第１種、連続した複数コンポーネントキャリアを集合させ、ＬＴＥ−Ａへより太い伝送帯域幅を提供する。
【０００７】
第２種、連続しない複数ＬＴＥキャリアを集合させ、ＬＴＥ−へより太い伝送帯域幅を提供する。
【０００８】
ＰＤＣＣＨ設計の複雑さ、スケジューリングの柔軟性、及び上り・下りリンク非対称キャリア・アグリゲーション情况をかんがみて、キャリア・アグリゲーションシステムのＰＤＣＣＨ設計に対し、以下の２種類の方法を提案できる。
【０００９】
〈方法１〉ＰＤＣＣＨ１ａ方式：
図４に示すように、各コンポーネントキャリアは独立してＰＤＣＣＨを送信する。当該ＰＤＣＣＨは本キャリアの物理リソースのみスケジューリングできる。これを本キャリア・スケジューリングと呼ぶ。
【００１０】
〈方法２〉ＰＤＣＣＨ１ｂ方式：
キャリアに載せた複数独立ＰＤＣＣＨにより、複数キャリアリソースをスケジューリングすることは、クロス・キャリア・スケジューリングと呼ぶ。図５に示すように、当該方法は方法１の改善案であり、このような状況では各ＰＤＣＣＨは１コンポーネントキャリアのリソースしかスケジューリングできない。
【発明の概要】
【発明が解決しようとする課題】
【００１１】
キャリア・スケジューリングを実施する過程において、発明者は従来技術において以下の問題点に気づいた。
【００１２】
ＬＴＥ−Ａシステムにおいて、ＵＥは自身がサポートするコンポーネントキャリアがどのような方式によりキャリアをスケジューリングするかを確認できない。即ち、１つ或いはいくつかのＣＣが、本キャリア・スケジューリング方式或いはクロス・キャリア・スケジューリング方式によりリソースをスケジューリングするか否かを確認できない。
【課題を解決するための手段】
【００１３】
本発明に係る実施形態は、ＵＥは自身がサポートするコンポーネントキャリアがどのような方式によりキャリアをスケジューリングするかを確認できないという問題を解決する、キャリア・スケジューリング方式の確認方法及び設備を提供する。
【００１４】
ＬＴＥ−Ａシステムにおけるキャリア・スケジューリング方式の指示方法は、
ネットワーク設備が、コンポーネントキャリアがクロス・キャリア・スケジューリング方式によりリソースをスケジューリングするか否かを確認するステップと、
前記ネットワーク設備が、コンポーネントキャリアがクロス・キャリア・スケジューリング方式によりリソース・スケジューリングするか否かの第１指示情報を端末へ送信することにより、端末自身がサポートしたコンポーネントキャリアにてクロス・キャリア・スケジューリング方式によりリソースをスケジューリングするか否かを指示するステップと、
前記端末が、受信した前記指示情報に基づき、自身がサポートしたコンポーネントキャリアにてクロス・キャリア・スケジューリングによりリソースをスケジューリングするかどうかを確認するステップと
を備える。
【００１５】
ロング・ターム・エボリューション・アドバンスト（ＬＴＥ−Ａ）システムにおけるキャリア・スケジューリング方式の確認方法は、
端末が、ネットワーク設備が送信したコンポーネントキャリアがクロス・キャリア・スケジューリング方式によりリソースをスケジューリングするか否かの第１指示情報を受信するステップと、
前記端末が、前記第１指示情報に基づき、自身がサポートしたコンポーネントキャリアにてクロス・キャリア・スケジューリング方式によりリソースをスケジューリングするか否かを確認するステップと
を備える。
【００１６】
ネットワーク設備は、
端末のコンポーネントキャリアが、クロス・キャリア・スケジューリング方式によるものか否かを確認する確認ユニットと、
コンポーネントキャリアが、クロス・キャリア・スケジューリング方式によりリソースをスケジューリングするか否かの第１指示情報を端末へ送信する送信ユニットと
を備える。
【００１７】
端末は、
ネットワーク設備が送信したコンポーネントキャリアが、クロス・キャリア・スケジューリング方式によりリソースをスケジューリングするか否かの第１指示情報を受信する受信ユニットと、
前記第１指示情報に基づき、自身がサポートしたコンポーネントキャリアにて、クロス・キャリア・スケジューリング方式によりリソースをスケジューリングするか否かを確認する確認ユニットと
を備える。
【発明の効果】
【００１８】
本発明において、ネットワーク設備が、コンポーネントキャリアがクロス・キャリア・スケジューリング方式によりリソースをスケジューリングするか否かの指示情報を端末へ送信する。また、端末は、受信した指示情報に基づき、自身がサポートしたコンポーネントキャリアにてクロス・キャリア・スケジューリング方式によりリソースをスケジューリングするか否かを確認する。これによりＬＴＥ−Ａシステムにおいて複数キャリアをサポートしたＵＥが、１つ或いはいくつかのコンポーネントキャリアがどのような方式によりキャリア・スケジューリングするかを確認できるようにする。
【図面の簡単な説明】
【００１９】
【図１】従来技術におけるＬＴＥシステムにかかる本キャリア・スケジューリングのイメージを示す図である。
【図２】従来技術におけるＬＴＥシステムにかかるキャリアのイメージを示す図である。
【図３】従来技術におけるＬＴＥ−Ａシステムにかかるキャリア・アグリゲーションのイメージを示す図である。
【図４】従来技術におけるＬＴＥ−Ａシステムにかかる本キャリア・スケジューリングのイメージを示す図である。
【図５】従来技術におけるＬＴＥ−Ａシステムにかかるクロス・キャリア・スケジューリングのイメージを示す図である。
【図６】本発明に係る実施形態が提供する方法を示すフロー図。
【図７】本発明に係る実施形態が提供するシステム構造のイメージを示す図である。
【図８】本発明に係る実施形態が提供するネットワーク設備構造のイメージを示す図である。
【図９】本発明に係る実施形態が提供する端末構造のイメージを示す図である。
【発明を実施するための形態】
【００２０】
ＬＴＥ−ＡシステムにおいてＵＥが、自身がサポートしたコンポーネントキャリアがどのような方式によりキャリアをスケジューリングするかを確認できるように、本発明に係る実施形態はＬＴＥ−Ａシステムにおけるキャリア・スケジューリング方式の確認方法を提供する。この方法において、ＬＴＥ−Ａシステムにおけるネットワーク設備はコンポーネントキャリアがクロス・キャリア・スケジューリング方式によりリソースをスケジューリングするか否かの第１指示情報を端末へ送信する。これにより当該第１指示情報に基づき、自身がサポートしたコンポーネントキャリアにてクロス・キャリア・スケジューリング方式によりリソース・スケジューリングするか否かを確認する。
【００２１】
図６に示すように、本発明に係る実施形態が提供するＬＴＥ−Ａシステムにおけるキャリア・スケジューリング方式の確認方法は、ステップ６０と、ステップ６１とを備える。
【００２２】
ステップ６０において、ネットワーク設備は、コンポーネントキャリアがクロス・キャリア・スケジューリング方式によりリソースをスケジューリングするか否かの第１指示情報を端末へ送信することにより、端末が当該第１指示情報に基づいて自身がサポートしたコンポーネントキャリアにてクロス・キャリア・スケジューリング方式によりリソースをスケジューリングするか否かのことを端末へ指示する。
【００２３】
ステップ６１において、端末は、受信した第１指示情報に基づき、自身がサポートしたコンポーネントキャリアにてクロス・キャリア・スケジューリング方式によりリソースをケジューリングする。
【００２４】
第１実施形態として、ステップ６０において、ネットワーク設備は、コンポーネントキャリアがクロス・キャリア・スケジューリング方式によりリソースをスケジューリングするか否かの第１指示情報をシステムメッセージに載せ、かつ前記システムメッセージをブロードキャスト方式によりネットワーク設備における全ての端末へ送信する。
【００２５】
それに対応して、ステップ６１において、端末は、受信したシステムメッセージに基づき、自身がサポートした全てのコンポーネントキャリアにてクロス・キャリア・スケジューリング方式或いは本キャリア・スケジューリング方式によりリソースをスケジューリングすると確定する。具体的に、システムメッセージには、コンポーネントキャリアが、クロス・キャリア・スケジューリング方式によりリソースをスケジューリングするという第１指示情報が載せられた場合、端末は自身がサポートした全てのコンポーネントキャリアにてクロス・キャリア・スケジューリング方式によりリソースをスケジューリングすると確定する。システムメッセージには、コンポーネントキャリアが、クロス・キャリア・スケジューリング方式によらずリソースをスケジューリングするという第１指示情報を載せる場合、端末は自身がサポートした全てのコンポーネントキャリアにて本キャリア・スケジューリング方式によりリソースをスケジューリングすると確定する。
【００２６】
好ましくは、ネットワーク設備が第１指示情報を端末へ送信した後、ネットワーク設備はさらに、再設定したコンポーネントキャリアがクロス・キャリア・スケジューリング方式によりリソースをスケジューリングするという第２指示情報をシステムメッセージ或いはＲＲＣ（Ｒａｄｉｏ  Ｒｅｓｏｕｒｃｅ  Ｃｏｎｔｒｏｌ、無線リソース制御）シグナルに載せられる。かつ、当該システムメッセージ或いはＲＲＣシグナルを端末へ送信する。端末は、当該システムメッセージ或いはＲＲＣシグナルを受信後、当該システムメッセージ或いはＲＲＣシグナルに基づき、自身がサポートした全てのコンポーネントキャリアにて、クロス・キャリア・スケジューリング方式或いは本キャリア・スケジューリング方式により、リソースをスケジューリングすることを再確認する。
【００２７】
第２実施形態として、ステップ６０において、ネットワーク設備は、コンポーネントキャリアがクロス・キャリア・スケジューリング方式によりリソース・スケジューリングするか否かの第１指示情報をシステムメッセージに載せる。かつ、当該システムメッセージをブロードキャスト方式により前記第１指示情報におけるコンポーネントキャリアを介して端末へ送信する。
【００２８】
これに応じて、ステップ６１において、端末は、受信したシステムメッセージに基づき、前記指示情報のコンポーネントキャリアにてクロス・キャリア・スケジューリング方式或いは本キャリア・スケジューリング方式によりリソースをスケジューリングすると確定する。具体的に、システムメッセージに、コンポーネントキャリアがクロス・キャリア・スケジューリング方式によりリソースをスケジューリングするという第１指示情報を載せる場合、端末は、前記第１指示情報のコンポーネントキャリアにてクロス・キャリア・スケジューリング方式によりリソース・スケジューリングすることを確認する。さらにシステムメッセージに、コンポーネントキャリアがクロス・キャリア・スケジューリング方式によらずリソース・スケジューリングするという第１指示情報を載せる場合、端末は、前記第１指示情報においてコンポーネントキャリアが本キャリア・スケジューリング方式によりリソースをスケジューリングすると確定する。
【００２９】
好ましくは、ネットワーク設備が、第１指示情報を端末へ送信した後、ネットワーク設備はさらに、再設定したコンポーネントキャリアがクロス・キャリア・スケジューリング方式によりリソース・スケジューリングするか否かの第２指示情報をシステムメッセージ或いはＲＲＣシグナルに載せることができる。かつ当該システムメッセージ或いはＲＲＣシグナルを前記第２指示情報中のコンポーネントキャリアにより端末へ送信する。端末は、当該システムメッセージ或いはＲＲＣシグナルを受信後、当該システムメッセージ或いはＲＲＣシグナルに基づき、前記コンポーネントキャリアにてクロス・キャリア・スケジューリング方式或いは本キャリア・スケジューリング方式によりリソースをスケジューリングすることを再確認する。
【００３０】
第三実施形態として、ステップ６０において、ネットワーク設備は、端末がサポートした全てのコンポーネントキャリアがクロス・キャリア・スケジューリング方式によりリソース・スケジューリングするか否かの第１指示情報をＲＲＣシグナルに載せる。かつ、当該ＲＲＣシグナルを前記端末へ送信する。
【００３１】
これに応じて、ステップ６１において、端末は、受信したＲＲＣシグナルに基づき、自身がサポートした全てのコンポーネントキャリアにてクロス・キャリア・スケジューリング方式或いは本キャリア・スケジューリング方式によりリソースをスケジューリングすると確定する。具体的に、ＲＲＣシグナルには、端末がサポートした全てのコンポーネントキャリアがクロス・キャリア・スケジューリング方式によりリソースをスケジューリングするという第１指示情報を載せる場合、端末は、自身がサポートした全てのコンポーネントキャリアにてクロス・キャリア・スケジューリング方式によりリソースをスケジューリングすると確定する。さらに、ＲＲＣシグナルには、端末がサポートした全てのコンポーネントキャリアが、クロス・キャリア・スケジューリング方式によらずリソースをスケジューリングするという第２指示情報を載せる場合、端末は、自身がサポートした全てのコンポーネントキャリアにて本キャリア・スケジューリング方式によりリソースをスケジューリングすると確定する。
【００３２】
好ましくは、ネットワーク設備が、第１指示情報を端末へ送信した後、ネットワーク設備は再設定した端末がサポートした全てのコンポーネントキャリアがクロス・キャリア・スケジューリング方式によりリソースをスケジューリングするか否かどうかの第２指示情報をＲＲＣシグナルに載せる。かつ、当該ＲＲＣシグナルを端末へ送信する。端末は、当該ＲＲＣシグナルを受信後、当該ＲＲＣシグナルに基づき、自身がサポートした全てのコンポーネントキャリアにてクロス・キャリア・スケジューリング方式或いは本キャリア・スケジューリング方式によりリソースをスケジューリングすることを再確認する。
【００３３】
第四実施形態として、ステップ６０において、ネットワーク設備は、端末がサポートしたコンポーネントキャリアがクロス・キャリア・スケジューリング方式によりリソース・スケジューリングするか否かの第１指示情報をＲＲＣシグナルに載せる。かつ、前記ＲＲＣシグナルを前記端末へ送信する。
【００３４】
これに応じて、ステップ６１において、端末は、受信したＲＲＣシグナルに基づき、前記第１指示情報のコンポーネントキャリアにてクロス・キャリア・スケジューリング方式或いは本キャリア・スケジューリング方式によりリソースをスケジューリングすると確定する。具体的に、ＲＲＣシグナルには端末がサポートしたコンポーネントキャリアがクロス・キャリア・スケジューリング方式によりリソース・スケジューリングするという第１指示情報が載せられた場合、端末は前記第１指示情報において、コンポーネントキャリアにてクロス・キャリア・スケジューリング方式によりリソースをスケジューリングすると確定する。ＲＲＣシグナルには、端末がサポートしたコンポーネントキャリアにてクロス・キャリア・スケジューリング方式によらずリソースをスケジューリングするという第１指示情報が載せられた場合、端末は前記第１指示情報において、コンポーネントキャリアにて本キャリア・スケジューリング方式によりリソースをスケジューリングすると確定する。
【００３５】
好ましくは、ネットワーク設備は、第１指示情報を端末へ送信した後、再設定した端末がサポートしたコンポーネントキャリアがクロス・キャリア・スケジューリング方式によりリソース・スケジューリングするか否かの第２指示情報をＲＲＣシグナルに載せる。かつ、当該ＲＲＣシグナルを端末へ送信する。端末は、当該ＲＲＣシグナルを受信後、当該ＲＲＣシグナルに基づき、前記第２指示情報のコンポーネントキャリアにてクロス・キャリア・スケジューリング方式或いは本キャリア・スケジューリング方式によりリソースをスケジューリングすることを再確認する。
【００３６】
ステップ６１の後に、端末は確認済みの、クロス・キャリア・スケジューリング方式によりリソースをスケジューリングするコンポーネントキャリアに対して、クロス・キャリア・スケジューリング方式に対応する下りリンク制御情報（Ｄｏｗｎｌｉｎｋ  Ｃｏｎｔｒｏｌ  Ｉｎｆｏｒｍａｔｉｏｎ、ＤＣＩ）フォーマットに基づき、当該コンポーネントキャリアにおける物理下りリンク制御チャンネル（ＰＤＣＣＨ）を検出する。端末は確認済みの、クロス・キャリア・スケジューリング方式によらずリソースをスケジューリングするコンポーネントキャリアに対して、本キャリア・スケジューリング方式に対応するＤＣＩフォーマットに基づき、当該コンポーネントキャリアにおけるＰＤＣＣＨを検出する。クロス・キャリア・スケジューリング方式に対応するＤＣＩフォーマットには、少なくともスケジューリングする物理リソースの所在を指示するキャリア番号情報が含まれる。このように、ＵＥはＰＤＣＣＨが存在するキャリアをモニターすることによって、ＤＣＩに含まれるキャリア番号によって、対応するキャリアのリソース・スケジューリング指示を獲得できる。そして、スケジューリングのキャリアリソースにおいてデータを送受信できる。また、本キャリア・スケジューリング方式に対応するＤＣＩフォーマットはキャリア番号情報を含まない。
【００３７】
好ましくは、ステップ６０において、ネットワーク設備が第１指示情報或いは第２指示情報を端末へ送信する場合、ネットワーク設備はさらにＬＴＥ−Ａシステムがサポートした全てのコンポーネントキャリアの識別子情報或いは一部コンポーネントキャリアの識別子情報を端末へ送信できる。端末は受信したコンポーネントキャリアの識別子情報に基づいて、当該コンポーネントキャリアの周波数点位置を確認できる。
【００３８】
本発明について以下に具体的な説明をする。
【００３９】
本発明には以下のいくつかの方法がある。
【００４０】
〈方法１〉
ネットワーク側はシステムメッセージブロードキャスト方式によりシステムがクロス・キャリア・スケジューリングを使用するか否かを端末へ通知する。即ち、ＰＤＣＣＨ１ｂ方式を使用するか否かを端末へ通知する。
【００４１】
当該方法は、システムレベルではＣＣのクロス・キャリア・スケジューリング設定を区別しない場合での使用に適する。即ち、ネットワーク側は全ＵＥがクロス・キャリア・スケジューリング方式を使用するか否かを統一して設定する。即ち、全てのシステムメッセージブロードキャストに利用されるＣＣブロードキャストを同じ設定値に設定する。ネットワーク側はさらに、システムにおける全てのアグリゲーション可能ＣＣのキャリア番号情報をブロードキャストできる。もし、システムメッセージブロードキャストにおいて、クロス・キャリア・スケジューリングを使用するように設定し、ブロードキャストを受信したＵＥがクロス・キャリア・スケジューリングをサポートする能力がある場合、この設定は効力を発揮する。即ち、キャリア番号を使用して、ＰＤＣＣＨ１ｂ方式によりクロス・キャリア・スケジューリングを行う。もし、ＵＥ能力ではクロス・キャリア・スケジューリングをサポートできない場合、ＵＥは本キャリア・スケジューリング（即ち、ＰＤＣＣＨ１ａ）方式によってのみリソースをスケジューリングする。もし、システムメッセージブロードキャストにてクロス・キャリア・スケジューリングを使用しないと設定した場合、ブロードキャストを受信した全ＵＥは本キャリア・スケジューリング方式のみ使用し、ＰＤＣＣＨ１ｂを閉じる。
【００４２】
もしシステムにおいて、クロス・キャリア・スケジューリングの設定方法に変化がある場合、これはシステムメッセージの変化により現れ、ＵＥは変化後のシステムメッセージをモニターすることによって変化した後のキャリア・スケジューリング設定情報を獲得できる。接続状態にあるＵＥに対して、ネットワーク側はさらにＲＲＣ専用シグナル方式によってキャリア・スケジューリング設定方法の変化を通知できる。
〈方法２〉
【００４３】
ネットワーク側は、システムメッセージブロードキャスト方式により端末システムにおけるコンポーネントキャリアがクロス・キャリア・スケジューリングを使用するか否かを通知する。
【００４４】
当該方法は、システムレベルではＣＣのクロス・キャリア・スケジューリング設定を区別する場合での使用に適する。即ち、ネットワーク側は、各アグリゲーション可能ＣＣの全てのＵＥに対して、クロス・キャリア・スケジューリング方式を使用するか否かについて統一して設定する。即ち、各システムメッセージブロードキャストに利用されるＣＣは、各自ＣＣにおけるキャリア・スケジューリング方式設定値をブロードキャストできる。また、システムメッセージブロードキャストに利用される各ＣＣはさらに、各自のキャリア番号或いはその他のアグリゲーション可能ＣＣのキャリア番号情報を全てブロードキャストできる。もしＣＣでのシステムメッセージブロードキャストにおいて、クロス・キャリア・スケジューリングを使用するように設定し、ブロードキャストを受信したＵＥがクロス・キャリア・スケジューリングをサポートする能力がある場合、当該キャリアでの設定は効力を発揮する。即ち、キャリア番号を使用してＰＤＣＣＨ１ｂ方式によりクロス・キャリア・スケジューリングを行う。もし、ＵＥ能力ではクロス・キャリア・スケジューリングをサポートできない場合、ＵＥは当該キャリアでは本キャリア・スケジューリング（ＰＤＣＣＨ１ａ）方式のみを使用する。もし、ＣＣでのシステムメッセージブロードキャストにてクロス・キャリア・スケジューリングを使用しないと設定した場合、受信したブロードキャストの全てのＵＥは当該キャリアにて本キャリア・スケジューリング方式しか使用せず、ＰＤＣＣＨ１ｂを閉じる。
【００４５】
もしシステムのあるＣＣにおけるクロス・キャリア・スケジューリングの設定方法に変化が生じた場合、それは当該ＣＣでのシステムメッセージの変化に現れ、ＵＥは当該ＣＣでの変化した後のシステムメッセージをモニターすることによって、変化した後のキャリア・スケジューリング設定情報を獲得できる。接続状態にあるＵＥに対してはさらに、ＲＲＣ専用シグナル方式によって１つ或いはいくつかのＣＣキャリア・スケジューリング設定方法の変化を通知できる。
〈方法３〉
【００４６】
ネットワーク側はＲＲＣ専用シグナル方式によってＵＥがクロス・キャリア・スケジューリングを使用するか否かを通知する。
【００４７】
当該方法は、ＵＥレベルではＣＣのクロス・キャリア・スケジューリング設定を区別しない場合での使用に適する。即ち、ネットワーク側は各ＵＥに対し異なるキャリア・スケジューリング方法を設定することが可能である。しかし具体的には、ＵＥのキャリア・スケジューリング方法はＣＣを区別することにより設定するわけではない。即ち、ＰＤＣＣＨ１ｂの起動設定は各ＵＥ毎に分けて行い、同一システムにおける異なるＵＥは異なるキャリア・スケジューリング方法を使用できる。ネットワーク側はＵＥキャリア・スケジューリング方法のＲＲＣシグナル中の設定において、１ビット（ｂｉｔ）情報を使用して、当該ＵＥがＰＤＣＣＨ１ｂ方式を起動するか否かについて指示できる。同時に当該シグナルにおいてさらに、ＵＥの現在の全アグリゲーションキャリア或いは全アグリゲーション可能キャリアの番号情報を載せ、クロス・キャリア・スケジューリング方式に使用することができる。
【００４８】
ＵＥがすでに設定したキャリア・スケジューリング方法に対して、ネットワーク側はＲＲＣ専用シグナルにより、単独で再設定することができる。
〈方法４〉
【００４９】
ネットワーク側は、ＲＲＣ専用シグナル方式によってコンポーネントキャリアがクロス・キャリア・スケジューリングを使用するか否かについてＵＥに通知する。
【００５０】
当該方法は、ＵＥレベルではＣＣのクロス・キャリア・スケジューリング設定を区別しない場合での使用に適する。即ち、ネットワーク側は各ＵＥの各アグリゲーション可能キャリアに対し、異なるキャリア・スケジューリング方法を設定できる。ネットワーク側は、ＵＥのＣＣにおけるキャリア・スケジューリング方法を設定するＲＲＣシグナルにおいて、１ｂｉｔ情報を使用し、当該ＣＣにてＰＤＣＣＨ１ｂ方式を起動するか否かを指示できる。同時に、当該シグナルにおいてさらに、当該ＣＣに対応するキャリア番号或いはＵＥの現在の全アグリゲーションキャリアの番号情報を載せ、クロス・キャリア・スケジューリング方式に使用することができる。
【００５１】
ＵＥのアグリゲーション可能ＣＣ集合におけるＣＣに対してすでに設定したキャリア・スケジューリング方法は、ネットワーク側によりＲＲＣ専用シグナルを利用することで単独で再設定できる。
【００５２】
さらに具体的な実施形態による本発明の方法について詳細な説明を加える。
〈実施形態１〉
【００５３】
本実施形態は前記方法１に対応し、具体的に、
ＬＴＥ−Ａシステムにはコンポーネントキャリアが３つあり、それぞれＣＣ１、ＣＣ２、ＣＣ３と表示する。これらは全て後方互換性キャリアとする。ＣＣ１、ＣＣ２そしてＣＣ３は全てブロードキャストシステム内にクロス・キャリア・スケジューリング方式を使用することを設定する。かつ、ブロードキャストにおける全ＣＣのキャリア番号情報をそれぞれ｛｛ＣＣ１,００｝、｛ＣＣ２,０１｝、｛ＣＣ３,１０｝｝とする。クロス・キャリア・スケジューリングをサポートする能力が有するＵＥ１は、ＰＤＣＣＨ１ｂ方式を起動させ、ＣＣ１を使用して、ＣＣ１、ＣＣ２そしてＣＣ３でのデータ伝送をスケジューリングする。クロス・キャリア・スケジューリングをサポート能力を有するＵＥ２は、ＰＤＣＣＨ１ｂ方式を起動させ、ＣＣ２を使用して、ＣＣ２そしてＣＣ３でのデータ伝送をスケジューリングする。ＵＥ３の能力は、クロス・キャリア・スケジューリングをサポートできず、ＰＤＣＣＨ１ｂを閉じ、本キャリア・スケジューリング方式を使用する。
〈実施形態２〉
【００５４】
本実施形態は前記方法２に対応し、具体的に、
ＬＴＥ−Ａシステムには３つのコンポーネントキャリアがあり、それぞれＣＣ１、ＣＣ２、ＣＣ３と表示する。その内、ＣＣ１とＣＣ２は後方互換性キャリアとし、ＣＣ３は拡張キャリアとする。ＣＣ１でのシステムメッセージにおいて、当該キャリアはクロス・キャリア・スケジューリングを使用しないことを設定し、ＣＣ２において、システムメッセージブロードキャストに当該キャリアがクロス・キャリア・スケジューリング方式を使用することを設定する。かつ、ブロードキャストＣＣ２とＣＣ３のキャリア番号情報を｛｛ＣＣ２,０１｝、｛ＣＣ３,１０｝｝とし、ＣＣ３ではシステムメッセージブロードキャストを設置しない。システムにおいて、全てのクロス・キャリア・スケジューリングをサポートする能力を有するＵＥはＣＣ１にてＰＤＣＣＨ１ｂを閉じる。かつ、本キャリアを使用しＣＣ１でのデータ伝送をスケジューリングする。ＣＣ２ではＰＤＣＣＨ１ｂを起動し、かつ、クロス・キャリアを使用し、ＣＣ２とＣＣ３でのデータ伝送をスケジューリングする。ＵＥの能力は、クロス・キャリアがスケジューリングした他のＵＥが本キャリア・スケジューリング方式を使用することをサポートしない。
〈実施形態３〉
【００５５】
本実施形態は前記方法３に対応し、具体的に、
ＬＴＥ−Ａシステムには３つのコンポーネントキャリアがあり、それぞれＣＣ１、ＣＣ２、ＣＣ３と表示し、その内、ＣＣ１とＣＣ２を後方互換性キャリアとし、ＣＣ３を拡張キャリアとする。ＵＥ１は集合したＣＣ１とＣＣ２で動作し、ＵＥ２は集合した３つのＣＣ全てにて動作する。ネットワーク側は、ＵＥ１を与えるＲＲＣシグナルにおいて、クロス・キャリア・スケジューリングを使用しないことを設定し、ＵＥ２を与えるＲＲＣシグナルにおいて、クロス・キャリア・スケジューリングを使用することを設定する。各自のＲＲＣ設定シグナルを受信後、ＵＥ１はＣＣ１とＣＣ２にて、ＰＤＣＣＨ１ｂを閉じる。かつ、本キャリア・スケジューリング方式を使用し、各自キャリアでのデータ伝送をスケジューリングする。ＵＥ２はＣＣ１にてＰＤＣＣＨ１ａを閉じ、かつ、クロス・キャリアを使用して、ＣＣ１、ＣＣ２とＣＣ３でのデータ伝送をスケジューリングする。
〈実施形態４〉
【００５６】
本実施形態は前記方法４に対応し、具体的に、
ＬＴＥ−Ａシステムには３つのコンポーネントキャリアがあり、それぞれＣＣ１、ＣＣ２、ＣＣ３と表示する。その内、ＣＣ１とＣＣ２は後方互換性キャリアとし、ＣＣ３は拡張キャリアとする。ＵＥ１は集合したＣＣ１とＣＣ２にて動作し、ＵＥ２は集合した全ての３つのＣＣにて動作する。ネットワーク側は、ＵＥ１を与えるＲＲＣシグナルにおいてＣＣ１とＣＣ２が全てクロス・キャリア・スケジューリングを使用することを設定する。ＵＥ２を与えるＲＲＣシグナルにおいて、ＣＣ１とＣＣ３がクロス・キャリア・スケジューリングを使用することを設定し、ＣＣ２はクロス・キャリア・スケジューリングに適さない。各自のＲＲＣ設定シグナルを受信後、ＵＥ１は、ＣＣ１にてクロス・キャリアを使用し、ＣＣ１と  ＣＣ２にてデータ伝送をスケジューリングする。ＵＥ２は、ＣＣ１にてクロス・キャリアを使用し、ＣＣ１とＣＣ３にてデータ伝送をスケジューリングし、ＣＣ２にて本キャリア・スケジューリング方式を使用する。
〈実施形態５〉
【００５７】
本実施形態ではＲＲＣシグナルを使用し、キャリア・スケジューリング方式に対し再設定を行う。具体的に、
ＬＴＥ−Ａシステムには３つのコンポーネントキャリアがあり、それぞれＣＣ１、ＣＣ２、ＣＣ３と表示する。その内、ＣＣ１とＣＣ２は後方互換性キャリアとし、ＣＣ３は拡張キャリアとする。ＵＥ１は現在、集合した３つのＣＣ全てにて動作し、かつ、この前に受信したＲＲＣに基づき、シグナルを設定し、ＣＣ１にてクロス・キャリアを使用し、ＣＣ１とＣＣ３でのデータ伝送をスケジューリングする。さらにＣＣ２にて、本キャリア・スケジューリング方式を使用し、ネットワーク側は続けて、ＵＥ１にＲＲＣ再設定シグナルを一本送信し、ＣＣ１にクロス・キャリア・スケジューリングを使用しないことを指示し、ＣＣ２とＣＣ３はクロス・キャリア・スケジューリングを使用する。再設定シグナルを受信後、ＵＥ１はＣＣ２にてクロス・キャリアを使用し、ＣＣ２とＣＣ３にてデータ伝送をスケジューリングし、ＣＣ１にて本キャリア・スケジューリング方式を使用する。
〈実施形態６〉
【００５８】
本実施形態では、システムメッセージブロードキャストによってキャリア・スケジューリング方式に対し、再設定を行う。具体的に、
ＬＴＥ−Ａシステムには３つのコンポーネントキャリアがあり、それぞれＣＣ１、ＣＣ２、ＣＣ３と表示する。その内、ＣＣ１とＣＣ２は後方互換性キャリアとし、ＣＣ３は拡張キャリアとする。現在ＣＣ１においてシステムメッセージに当該キャリアがクロス・キャリア・スケジューリングを使用しないことを設定し、ＣＣ２でのシステムメッセージブロードキャストにおいて、当該キャリアがクロス・キャリア・スケジューリング方式を使用することを設定する。かつ、ブロードキャストＣＣ２とＣＣ３のキャリア番号情報を｛｛ＣＣ２,０１｝、｛ＣＣ３,１０｝｝とし、ＣＣ３にシステムメッセージブロードキャストを設置しない。ブロードキャストを受信した接続状態にあるＵＥ１は３つのコンポーネントキャリアにて動作し、ＣＣ１は本キャリア・スケジューリングを使用し、ＣＣ２はＣＣ２とＣＣ３でのデータ伝送をスケジューリングする。この場合、システムのキャリア・スケジューリング方法には変化が生じ、全ＣＣはクロス・キャリア・スケジューリング方式を使用するように設定する。つまり、ＣＣ１とＣＣ２でのシステムメッセージはクロス・キャリア・スケジューリングを全て使用するように設定し、ＣＣ１は自己のキャリア番号｛ＣＣ１,００｝をブロードキャストする。ＵＥ１は、ＣＣ１とＣＣ２でのシステムメッセージ更新過程をモニターすることにより、システムが修正したキャリア・スケジューリング方法を獲得し、かつ、ＣＣ１を使用して、ＣＣ１、ＣＣ２とＣＣ３でのデータ伝送をスケジューリングする。
【００５９】
図７において、本発明に係る実施形態により提供したキャリアリソース・スケジューリングシステムは、
コンポーネントキャリアがクロス・キャリア・スケジューリング方式により、リソーススをケジューリングするか否かの第１指示情報を端末へ送信するネットワーク設備７０と、
受信した前記第１指示情報に基づき、自身がサポートしたコンポーネントキャリアにてクロス・キャリア・スケジューリング方式によりリソースをスケジューリングするか否かを確認する端末７１とを備える。
【００６０】
第１実施形態において、前記ネットワーク設備７０は、
システムにおおける全てのコンポーネントキャリアがクロス・キャリア・スケジューリング方式によりリソースをスケジューリングするか否かの第１指示情報をシステムメッセージに載せる。かつ、前記システムメッセージをブロードキャスト方式により端末へ送信する。
【００６１】
これに応じて、前記端末７１は、
前記システムメッセージブロードキャストに基づき、自身がサポートした全てのコンポーネントキャリアにて、クロス・キャリア・スケジューリング方式或いは本キャリア・スケジューリング方式によりリソースをスケジューリングすると確定する。
【００６２】
第２実施形態において、前記ネットワーク設備７０は、
コンポーネントキャリアが、クロス・キャリア・スケジューリング方式によりリソース・スケジューリングするか否かの第１指示情報をシステムメッセージに載せる。かつ、前記システムメッセージをブロードキャスト方式により前記コンポーネントキャリアを介して端末へ送信する。
【００６３】
これに応じて、前記端末７１は、
前記システムメッセージブロードキャストに基づき、前記コンポーネントキャリアにてクロス・キャリア・スケジューリング方式或いは本キャリア・スケジューリング方式によりリソースをスケジューリングする。
【００６４】
第三実施形態において、前記ネットワーク設備７０は、
端末がサポートした全てのコンポーネントキャリアが、クロス・キャリア・スケジューリング方式によりリソースをスケジューリングするか否かの第１指示情報を無線リソース制御ＲＲＣシグナルに載せる。かつ、前記ＲＲＣシグナルを前記端末へ送信する。
【００６５】
これに応じて、前記端末７１は、
前記ＲＲＣシグナルに基づき、自身がサポートした全てのコンポーネントキャリアにてクロス・キャリア・スケジューリング方式或いは本キャリア・スケジューリング方式によりリソースをスケジューリングすることを確認する。
【００６６】
第四実施形態に応じて、前記ネットワーク設備７０は、
端末がサポートしたコンポーネントキャリアが、クロス・キャリア・スケジューリング方式によりリソースをスケジューリングするか否かの第１指示情報を無線リソース制御ＲＲＣシグナルに載せる。かつ、前記ＲＲＣシグナルを前記端末へ送信する。
【００６７】
これに応じて、前記端末７１は、
前記ＲＲＣシグナルに基づき、前記コンポーネントキャリアにてクロス・キャリア・スケジューリング方式或いは本キャリア・スケジューリング方式によりリソースをスケジューリングすることを確認する。
【００６８】
前記端末７１はさらに、確認済みの、クロス・キャリア・スケジューリング方式によりリソース・スケジューリングするコンポーネントキャリアに対し、前記クロス・キャリア・スケジューリング方式に対応するＤＣＩフォーマットに基づき、前記コンポーネントキャリアでのＰＤＣＣＨを検出し、確認済みの、クロス・キャリア・スケジューリング方式によらずリソース・スケジューリングするコンポーネントキャリアに対し、本キャリア・スケジューリング方式に対応するＤＣＩフォーマットに基づき、前記コンポーネントキャリアでのＰＤＣＣＨを検出することに用いる。
【００６９】
前記ネットワーク設備７０はさらに、
前記ＬＴＥ−Ａシステムがサポートした全てのコンポーネントキャリアの識別子情報或いは一部コンポーネントキャリアの識別子情報を端末へ送信するのに用いる。
【００７０】
これに応じて、前記端末７１はさらに、
受信したコンポーネントキャリアの識別子情報に基づき、当該コンポーネントキャリアの周波数点位置の確認に用いる。
【００７１】
図８において、本発明に係る実施形態により提供したネットワーク設備は、キャリアリソース・スケジューリングシステムにに用いることができ、当該ネットワーク設備は、
コンポーネントキャリアがクロス・キャリア・スケジューリング方式によるものか否かを確認する確認ユニット８０と、
コンポーネントキャリアがクロス・キャリア・スケジューリング方式によりリソース・スケジューリングするか否かの第１指示情報を端末へ送信する送信ユニット８１と、
を備える。
【００７２】
前記送信ユニット８１は、第１指示ユニット、第２指示ユニット、第三指示ユニット、第四指示ユニットにおける１つ或いは任意の組み合わせを備える。以下、それぞれのユニットについて詳細に説明する。
【００７３】
前記第１指示ユニットは、全てのコンポーネントキャリアがクロス・キャリア・スケジューリング方式によりリソースをスケジューリングするか否かの第１指示情報をシステムメッセージに載せ、かつ、前記システムメッセージをブロードキャスト方式により端末へ送信する。
【００７４】
前記第２指示ユニットは、コンポーネントキャリアがクロス・キャリア・スケジューリング方式によりリソースをスケジューリングするか否かの第１指示情報をシステムメッセージに載せ、かつ、前記システムメッセージをブロードキャスト方式により前記コンポーネントキャリアを介して端末へ送信する。
【００７５】
前記第三指示ユニットは、端末がサポートした全てのコンポーネントキャリアがクロス・キャリア・スケジューリング方式によりリソースをスケジューリングするか否かの第１指示情報を無線リソース制御ＲＲＣシグナルに載せ、かつ、前記ＲＲＣシグナルを前記端末へ送信する。
【００７６】
前記第四指示ユニット、端末がサポートしたコンポーネントキャリアがクロス・キャリア・スケジューリング方式によりリソースをスケジューリングするか否かの第１指示情報を無線リソース制御ＲＲＣシグナルに載せ、かつ、前記ＲＲＣシグナルを前記端末へ送信する。
【００７７】
前記送信ユニット８１はさらに、
前記ＬＴＥ−Ａシステムがサポートした全てのコンポーネントキャリアの識別子情報或いは一部コンポーネントキャリアの識別子情報を端末へ送信することに用いる。
【００７８】
図９において、本発明に係る実施形態により提供した端末は、
ネットワーク設備が送信したコンポーネントキャリアがクロス・キャリア・スケジューリング方式によりリソースをスケジューリングするか否かの第１指示情報を受信する受信ユニット９０と、
前記第１指示情報に基づき、自身がサポートしたコンポーネントキャリアにてクロス・キャリア・スケジューリング方式によりリソースをスケジューリンするか否かを確認する確認ユニット９１と、
を備える。
【００７９】
第１実施形態において、前記受信ユニット９０は、
ネットワーク設備がブロードキャスト方式により送信した前記第１指示情報が載せられたシステムメッセージを受信する。
【００８０】
これに応じて、前記確認ユニット９１は、
前記システムメッセージに基づき、自身がサポートした全てのコンポーネントキャリアにてクロス・キャリア・スケジューリング方式或いは本キャリア・スケジューリング方式によりリソースをスケジューリングすることを確認する。
【００８１】
第２実施形態において、前記受信ユニット９０は、
コンポーネントキャリアにて前記第１指示情報が載せられたシステムメッセージを受信する。
【００８２】
これに応じて、前記確認ユニット９１は、
前記システムメッセージに基づき、前記第１指示情報におけるコンポーネントキャリアにてクロス・キャリア・スケジューリング方式或いは本キャリア・スケジューリング方式によりリソースをスケジューリングすることを確認する。
【００８３】
第三実施形態において、前記受信ユニット９０は、
ネットワーク設備が送信した前記指示情報が載せられた無線リソース制御ＲＲＣシグナルを受信する。
【００８４】
これに応じて、前記確認ユニット９１は、
前記ＲＲＣシグナルに基づき、自身がサポートした全てのコンポーネントキャリアにてクロス・キャリア・スケジューリング方式或いは本キャリア・スケジューリング方式によりリソースをスケジューリングすることを確認するのに用いる。
【００８５】
第四実施形態として、前記受信ユニット９０は、  
受信ネットワーク設備が送信した前記第１指示情報が載せられた無線リソース制御ＲＲＣシグナルの受信に用いる。
【００８６】
相対して、前記確認ユニット９１は、
前記ＲＲＣシグナルに基づき、前記第１指示情報におけるコンポーネントキャリアにてクロス・キャリア・スケジューリング方式或いは本キャリア・スケジューリング方式によりリソース・スケジューリングすることを確認する。
【００８７】
当該端末は、
確認ユニットが確認した、クロス・キャリア・スケジューリング方式によりリソースをスケジューリングするコンポーネントキャリアに対し、前記クロス・キャリア・スケジューリング方式が対応するＤＣＩフォーマットに基づき、前記コンポーネントキャリアにおけるＰＤＣＣＨを検測する。また、確認ユニットが確認した、クロス・キャリア・スケジューリング方式によらずリソース・スケジューリングするコンポーネントキャリアに対し、本キャリア・スケジューリング方式に対応するＤＣＩフォーマットに基づき、前記コンポーネントキャリアにおけるＰＤＣＣＨを検測する検出ユニット９２を備る。
【００８８】
本発明におけるネットワーク設備は基地局等のいかなる端末と通信できるネットワーク側設備であれば良い。
【００８９】
つまり、本発明における有益な効果は、
本発明に係る実施形態において、ネットワーク設備はコンポーネントキャリアがクロス・キャリア・スケジューリング方式によりリソースをスケジューリングするか否かの指示情報を端末へ送信することと、端末が受信した指示情報に基づき、自身がサポートしたコンポーネントキャリアにてクロス・キャリア・スケジューリング方式によりリソースをスケジューリングするか否かを確認する。これにより、ＬＴＥ−ＡシステムにおけるマルチキャリアをサポートするＵＥが、１つ或いはいくつかのコンポーネントキャリアにて、いずれかの方式によりキャリアをスケジューリングするかを確認できるようにする。そして、スケジューリング方式に基づき、対応するスケジューリングシグナルを受信し、これによりスケジューリングされたデータリソースにてデータを送受信する。
【００９０】
本領域の技術者として、本発明の実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【００９１】
以上は本発明の実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における一つのブロック又は複数のブロックに指定される機能を実現する。
【００９２】
それらのコンピュータプログラム指令は又、コンピュータ又は他のプログラミング可能なデータ処理装置を特定方式で動作させるコンピュータ読取記憶装置に記憶できる。これにより、指令を含む装置は当該コンピュータ読取記憶装置内の指令を実行でき、又、フロー図における一つまたは複数のフローと／又はブロック図における一つ又は複数のブロックにおいて指定される機能を実現できる。
【００９３】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【００９４】
本発明の好ましい実施形態について記述したが、当業者は、本発明の基本的な技術思想を把握した上、多種多様な変更と変形を行える。そのような全ての変形及と変更は本発明に記述された実施形態と共に、付加する請求の範囲の範囲内にあると解釈されるべきである。
【００９５】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【図１】
2013506359.tif 000003
【図２】
2013506359.tif 000004
【図３】
2013506359.tif 000005
【図４】
2013506359.tif 000006
【図５】
2013506359.tif 000007
【図６】
2013506359.tif 000008
【図７】
2013506359.tif 000009
【図８】
2013506359.tif 000010
【図９】
2013506359.tif 000011
【手続補正書】
【提出日】平成24年3月28日(2012.3.28)
【手続補正１】
【補正対象書類名】明細書
【補正対象項目名】００３１
【補正方法】変更
【補正の内容】
【００３１】
これに応じて、ステップ６１において、端末は、受信したＲＲＣシグナルに基づき、自身がサポートした全てのコンポーネントキャリアにてクロス・キャリア・スケジューリング方式或いは本キャリア・スケジューリング方式によりリソースをスケジューリングすると確定する。具体的に、ＲＲＣシグナルには、端末がサポートした全てのコンポーネントキャリアがクロス・キャリア・スケジューリング方式によりリソースをスケジューリングするという第１指示情報を載せる場合、端末は、自身がサポートした全てのコンポーネントキャリアにてクロス・キャリア・スケジューリング方式によりリソースをスケジューリングすると確定する。さらに、ＲＲＣシグナルには、端末がサポートした全てのコンポーネントキャリアが、クロス・キャリア・スケジューリング方式によらずリソースをスケジューリングするという第１指示情報を載せる場合、端末は、自身がサポートした全てのコンポーネントキャリアにて本キャリア・スケジューリング方式によりリソースをスケジューリングすると確定する。
【手続補正２】
【補正対象書類名】特許請求の範囲
【補正対象項目名】全文
【補正方法】変更
【補正の内容】
【特許請求の範囲】
【請求項１】
ネットワーク設備が、コンポーネントキャリアがクロス・キャリア・スケジューリング方式によりリソースをスケジューリングするか否かを確認するステップと、
前記ネットワーク設備が、コンポーネントキャリアがクロス・キャリア・スケジューリング方式によりリソースをスケジューリングするか否かの第１指示情報を端末へ送信することにより、端末自身がサポートするコンポーネントキャリアにてクロス・キャリア・スケジューリング方式によりリソースをスケジューリングするか否かを端末へ指示するステップと
を備えることを特徴とするロング・ターム・エボリューション・アドバンスト（ＬＴＥ−Ａ）システムにおけるキャリア・スケジューリング方式の指示方法。
【請求項２】
前記第１指示情報中のコンポーネントキャリアは、システムにおける全てのコンポーネントキャリアであり、ネットワーク設備が前記第１指示情報を前記端末へ送信するステップは、
前記ネットワーク設備が前記第１指示情報をシステムメッセージに載せ、かつ、前記システムメッセージをブロードキャスト方式による端末へ送信するステップを備え、
或いは、
前記第１指示情報中のコンポーネントキャリアは、システムにおける１コンポーネントキャリアであり、ネットワーク設備が前記第１指示情報を前記端末へ送信するステップは、
前記ネットワーク設備が、前記第１指示情報をシステムメッセージに載せ、かつ、前記システムメッセージを前記第１指示情報のコンポーネントキャリアにてブロードキャスト方式により端末へ送信するステップ
を備えることを特徴とする請求項１に記載のロング・ターム・エボリューション・アドバンスト（ＬＴＥ−Ａ）システムにおけるキャリア・スケジューリング方式の指示方法。
【請求項３】
前記第１指示情報中のコンポーネントキャリアはシステムにおける全てのコンポーネントキャリアであり、ネットワーク設備が前記第１指示情報を前記端末へ送信した後、当該方法は、
前記ネットワーク設備が、再設定した後のシステムにおける全てのコンポーネントキャリアがクロス・キャリア・スケジューリング方式によりリソースをスケジューリングするか否かの第２指示情報をシステムメッセージに載せてブロードキャストし、或いは、無線リソース制御（ＲＲＣ）シグナルに載せて端末へ送信するステップ
をさらに備え、
或いは、前記第１指示情報のコンポーネントキャリアは、システムにおける１コンポーネントキャリアであり、ネットワーク設備が前記第１指示情報を前記端末へ送信した後、当該方法は、
前記ネットワーク設備が、再設定した後の１コンポーネントキャリアがクロス・キャリア・スケジューリング方式によりリソースをスケジューリングするか否かの第２指示情報をシステムメッセージに載せ、かつ、前記第２指示情報のコンポーネントキャリアにてブロードキャストするか、無線リソース制御（ＲＲＣ）シグナルに載せて端末へ送信するステップ
をさらに備えることを特徴とする請求項２に記載のロング・ターム・エボリューション・アドバンスト（ＬＴＥ−Ａ）システムにおけるキャリア・スケジューリング方式の指示方法。
【請求項４】
前記第１指示情報中のコンポーネントキャリアは、端末がサポートする全て或いは一部コンポーネントキャリアであり、前記ネットワーク設備が前記第１指示情報を前記端末へ送信するステップは、
前記ネットワーク設備が前記第１指示情報を無線リソース制御（ＲＲＣシグナル）に載せ、かつ、前記ＲＲＣシグナルを前記端末へ送信するステップ      
を備えることを特徴とする請求項１に記載のロング・ターム・エボリューション・アドバンスト（ＬＴＥ−Ａ）システムにおけるキャリア・スケジューリング方式の指示方法。
【請求項５】
ネットワーク設備が、前記第１指示情報を端末へ送信した後、当該方法はさらに、
前記ネットワーク設備が、再設定した後の端末がサポートする全て或いは一部コンポーネントキャリアがクロス・キャリア・スケジューリング方式によりリソースをスケジューリングするか否かの第２指示情報をＲＲＣシグナルに載せ、かつ、前記ＲＲＣシグナルを前記端末へ送信するステップ
を備えることを特徴とする請求項４に記載のロング・ターム・エボリューション・アドバンスト（ＬＴＥ−Ａ）システムにおけるキャリア・スケジューリング方式の指示方法。
【請求項６】
ネットワーク設備が、前記第１指示情報或いは第２指示情報を端末へ送信する場合、当該方法は、
前記ネットワーク設備が、前記ＬＴＥ−Ａシステムがサポートする全てのコンポーネントキャリアの識別子情報或いは一部コンポーネントキャリアの識別子情報を端末へ送信するステップ
をさらに備えることを特徴とする請求項２〜５のいずれか１項に記載のロング・ターム・エボリューション・アドバンスト（ＬＴＥ−Ａ）システムにおけるキャリア・スケジューリング方式の指示方法。
【請求項７】
端末が、ネットワーク設備から送信された、コンポーネントキャリアがクロス・キャリア・スケジューリング方式によりリソースをスケジューリングするか否か、の第１指示情報を受信するステップと、
前記端末が、前記第１指示情報に基づき、自身がサポートするコンポーネントキャリアにてクロス・キャリア・スケジューリング方式により、リソースをスケジューリングするか否かを確認するステップと
を備えることを特徴とするロング・ターム・エボリューション・アドバンスト（ＬＴＥ−Ａ）システムにおけるキャリア・スケジューリング方式の確認方法。
【請求項８】
前記端末が前記第１指示情報を受信するステップは、
ネットワーク設備からブロードキャストされた、前記第１指示情報が載せられたシステムメッセージを受信するステップ
を備え、
前記端末が、自身がサポートするコンポーネントキャリアにてクロス・キャリア・スケジューリング方式によりリソースをスケジューリングするか否かを確認するステップは、
前記端末が、第１指示情報中のコンポーネントキャリアがシステム中の全てのコンポーネントキャリアであると確認する場合、前記第１指示情報に基づき、自身がサポートした全てのコンポーネントキャリアにてクロス・キャリア・スケジューリング方式或いは本キャリア・スケジューリング方式によりリソースをスケジューリングすることを確認するステップ
を備え、
前記端末が、第１指示情報中のコンポーネントキャリアがシステム中の１コンポーネントキャリアであると確認する場合、前記第１指示情報に基づき、第１指示情報中のコンポーネントキャリアにてクロス・キャリア・スケジューリング方式或いは本キャリア・スケジューリングによりリソースをスケジューリングすると確認するステップ
を備えることを特徴とする請求項７に記載のロング・ターム・エボリューション・アドバンスト（ＬＴＥ−Ａ）システムにおけるキャリア・スケジューリング方式の確認方法。
【請求項９】
前記端末が、ネットワーク設備から送信された、再設定した後のコンポーネントキャリアがクロス・キャリア・スケジューリング方式によりリソースをスケジューリングするか否かの第２指示情報が載せられたシステムメッセージ或いはＲＲＣシグナルを受信するステップと、
前記端末が、第２指示情報中のコンポーネントキャリアがシステム中の全てのコンポーネントキャリアであると確認する場合、前記第２指示情報に基づき、自身がサポートする全てのコンポーネントキャリアにてクロス・キャリア・スケジューリング方式或いは本キャリア・スケジューリング方式によりリソースをスケジューリングすると改めて再確認するステップと、
前記端末が第２指示情報中のコンポーネントキャリアがシステム中の１コンポーネントキャリアであると確認する場合、前記第２指示情報に基づき、第２指示情報におけるコンポーネントキャリアにてクロス・キャリア・スケジューリング方式或いは本キャリア・スケジューリング方式によりリソースをスケジューリングすると改めて確認するステップと
をさらに備えることを特徴とする請求項８に記載のロング・ターム・エボリューション・アドバンスト（ＬＴＥ−Ａ）システムにおけるキャリア・スケジューリング方式の確認方法。
【請求項１０】
前記端末が前記第１指示情報を受信するステップは、
ネットワーク設備から送信された、前記第１指示情報が載せられた無線リソース制御（ＲＲＣ）シグナルを受信するステップ
を備え、
前記端末が、自身がサポートするコンポーネントキャリアにてクロス・キャリア・スケジューリング方式によりリソースをスケジューリングするか否かを確認するステップは、
前記端末が、前記第１指示情報に基づき、前記第１指示情報中のコンポーネントキャリアにてクロス・キャリア・スケジューリング方式或いは本キャリア・スケジューリング方式によりリソースをスケジューリングすると確認するステップ
を備えることを特徴とする請求項７に記載のロング・ターム・エボリューション・アドバンスト（ＬＴＥ−Ａ）システムにおけるキャリア・スケジューリング方式の確認方法。
【請求項１１】
端末が、ネットワーク設備から送信された、再設定後の端末がサポートする全て或いは一部コンポーネントキャリアが、クロス・キャリア・スケジューリング方式によりリソースをスケジューリングするか否かの第２指示情報が載せられたＲＲＣシグナルを受信するステップと、
前記端末が、前記第２指示情報に基づき、前記第２指示情報中のコンポーネントキャリアにてクロス・キャリア・スケジューリング方式或いは本キャリア・スケジューリング方式によりリソースをスケジューリングすると改めて確認するステップと
を備えることを特徴とする請求項１０に記載のロング・ターム・エボリューション・アドバンスト（ＬＴＥ−Ａ）システムにおけるキャリア・スケジューリング方式の確認方法。
【請求項１２】
端末が、クロス・キャリア・スケジューリング方式によりリソースをスケジューリングすると確認されたコンポーネントキャリアに対し、前記クロス・キャリア・スケジューリング方式に対応する下りリンク制御情報ＤＣＩフォーマットに基づき、前記コンポーネントキャリア上の物理下りリンク制御チャンネル（ＰＤＣＣＨ）を検出するステップと、
端末が、クロス・キャリア・スケジューリング方式によりリソースをスケジューリングしないと確認されたコンポーネントキャリアに対し、本キャリア・スケジューリング方式に対応するＤＣＩフォーマットに基づき、前記コンポーネントキャリア上のＰＤＣＣＨを検出するステップと
をさらに備えることを特徴とする請求項７〜１１のいずれかに記載のロング・ターム・エボリューション・アドバンスト（ＬＴＥ−Ａ）システムにおけるキャリア・スケジューリング方式の確認方法。
【請求項１３】
コンポーネントキャリアがクロス・キャリア・スケジューリング方式によるか否かを確認する確認手段と、
コンポーネントキャリアがクロス・キャリア・スケジューリング方式によりリソースをスケジューリングするか否かの第１指示情報を端末へ送信する送信手段と
を備えることを特徴とするネットワーク設備。
【請求項１４】
前記送信手段は、第１指示手段と、第２指示手段と、第３指示手段と、第４指示手段とにおける１つ或いは任意の組み合わせを備え、
前記第1指示手段は、システム中の全てのコンポーネントキャリアがクロス・キャリア・スケジューリング方式によりリソースをスケジューリングするか否かの第１指示情報をシステムメッセージに載せ、かつ、前記システムメッセージをブロードキャスト方式により端末へ送信し、
前記第２指示手段は、システム中の１コンポーネントキャリアがクロス・キャリア・スケジューリング方式によりリソースをスケジューリングするか否かの第１指示情報をシステムメッセージに載せ、かつ、前記システムメッセージをブロードキャスト方式により前記第１指示情報中のコンポーネントキャリアを介して端末へ送信し、
前記第３指示手段は、端末がサポートする全てのコンポーネントキャリアがクロス・キャリア・スケジューリング方式によりリソースをスケジューリングするか否かの第１指示情報を無線リソース制御（ＲＲＣ）シグナルに載せ、かつ、前記ＲＲＣシグナルを前記端末へ送信し、
前記第４指示手段は、端末がサポートする一部コンポーネントキャリアが、クロス・キャリア・スケジューリング方式によりリソースをスケジューリングするか否かの第１指示情報を無線リソース制御（ＲＲＣ）シグナルに載せ、かつ、前記ＲＲＣシグナルを前記端末へ送信する
ことを特徴とする請求項１３に記載のネットワーク設備。
【請求項１５】
前記ネットワーク設備は、第１再指示手段と、第２再指示手段と、第３再指示手段とにおける１つ或いは任意の組み合わせをさらに備え、
前記第１再指示手段は、再設定後のシステムにおける全てのコンポーネントキャリアがクロス・キャリア・スケジューリング方式によりリソースをスケジューリングするか否かの第２指示情報を、システムメッセージに載せてブロードキャストするか、或いは、無線リソース制御（ＲＲＣ）シグナルに載せて、端末へ送信し、
前記第２再指示手段は、再設定後の１コンポーネントキャリアがクロス・キャリア・スケジューリング方式によりリソースをスケジューリングするか否かの第２指示情報をシステムメッセージに載せ、かつ、前記第２指示情報のコンポーネントキャリアにてブロードキャストするか、或いは、無線リソース制御（ＲＲＣ）シグナルに載せて端末へ送信し、
第３再指示手段は、再設定後の端末がサポートする全て或いは一部コンポーネントキャリアがクロス・キャリア・スケジューリング方式によりリソースをスケジューリングするか否かの第２指示情報をＲＲＣシグナルに載せ、かつ、前記ＲＲＣシグナルを前記端末へ送信する
ことを特徴とする請求項１３或いは１４に記載のネットワーク設備。
【請求項１６】
前記送信手段はさらに、
ロング・ターム・エボリューション・アドバンスト（ＬＴＥ−Ａ）システムがサポートする全てのコンポーネントキャリアの識別子情報或いは一部コンポーネントキャリアの識別子情報を端末へ送信する
ことを特徴とする請求項１３に或いは１４に記載のネットワーク設備。
【請求項１７】
ネットワーク設備から送信された、コンポーネントキャリアがクロス・キャリア・スケジューリング方式によりリソースをスケジューリングするか否かの第１指示情報を受信する受信手段と、
前記第１指示情報に基づき、自身がサポートするコンポーネントキャリアにてクロス・キャリア・スケジューリング方式によりリソースをスケジューリングするか否かを確認する確認手段と
を備えることを特徴とする端末。
【請求項１８】
前記受信手段は第１受信サブ手段と、第２受信サブ手段とにおける１つ或いは任意の組み合わせを備え、
第１受信サブ手段は、ネットワーク設備からブロードキャストされた、前記第１指示情報が載せられたシステムメッセージを受信し、
第２受信サブ手段は、ネットワーク設備から送信された、前記第１指示情報が載せられた無線リソース制御（ＲＲＣ）シグナルを受信し、
前記確認手段は、第１確認サブ手段と、第２確認サブ手段と、第３の確認サブ手段とにおける１つ或いは任意の組み合わせを備え、
第１確認サブ手段は、第１指示情報中のコンポーネントキャリアがシステム中の全てのコンポーネントキャリアであると確認する場合、前記第１指示情報に基づき、自身がサポートする全てのコンポーネントキャリアにてクロス・キャリア・スケジューリング方式或いは本キャリア・スケジューリング方式によりリソースをスケジューリングすると確認し、
第２確認サブ手段は、第１指示情報中のコンポーネントキャリアがシステム中の１コンポーネントキャリアであると確認する場合、前記第１指示情報に基づき、第１指示情報中のコンポーネントキャリアにてクロス・キャリア・スケジューリング方式或いは本キャリア・スケジューリング方式によりリソースをスケジューリングすると確認し、
第３確認サブ手段は、第１指示情報中のコンポーネントキャリアが端末によりサポートされる全て或いは一部コンポーネントキャリアであると確認する場合、前記第２指示情報に基づき、前記第１指示情報中のコンポーネントキャリアにてクロス・キャリア・スケジューリング方式或いは本キャリア・スケジューリング方式によりリソースをスケジューリングすると確認する
ことを特徴とする請求項１７に記載の端末。
【請求項１９】
確認手段より、クロス・キャリア・スケジューリング方式によりリソースをスケジューリングすると確認されたコンポーネントキャリアに対し、前記クロス・キャリア・スケジューリング方式に対応する下りリンク制御情報ＤＣＩフォーマットに基づき、前記コンポーネントキャリア上の物理下りリンク制御チャンネルＰＤＣＣＨを検出し、確認手段より、コンポーネントキャリアにてクロス・キャリア・スケジューリング方式によりリソースをスケジューリングしないと確認されたコンポーネントキャリアに対し、本キャリア・スケジューリングに対応するＤＣＩフォーマットに基づき、前記コンポーネントキャリアにおけるＰＤＣＣＨを検出する検出手段
をさらに備えることを特徴とする請求項１７或いは１８に記載の端末。
【国際調査報告】
2013506359.tif 000012
2013506359.tif 000013
2013506359.tif 000014
2013506359.tif 000015